【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
流体を分配する方法であって：
本体の開口中に流体を受け入れること；
前記開口中に受け入れられた流体の少なくとも幾分かを、前記本体に連結されている第１排出要素の第１出口に連通している第１導管へと分配すること；
前記開口中に受け入れられた流体の少なくとも幾分かを、前記本体及び前記第１排出要素の少なくとも一方に連結されている第２排出要素の第２出口に連通している第２導管へと選択的に分配すること；
ここにおいては、前記開口中に受け入れられた流体の少なくとも幾分かを前記第２導管へと選択的に分配することが、前記第２排出要素が前記本体及び前記第１排出要素の前記少なくとも一方に連結された時に前記開口と連通されるとともに前記第２導管と連通される第３導管を介する流体の流れを制御することを備えていて、前記第３導管を介する流体の前記流れは、前記本体及び前記第１排出要素の前記少なくとも一方との前記第２排出要素の連結及び連結解除に応じて、前記第２排出要素が前記本体及び前記第１排出要素の前記少なくとも一方と連結された時には流体が前記第３導管を介して通過することが許容され、前記第２排出要素が前記本体及び前記第１排出要素の前記少なくとも一方との連結を解除された時には流体が前記第３導管を介して通過することを阻止されるよう、制御され；そして
前記第２排出要素が前記本体及び前記第１排出要素の前記少なくとも一方に連結された時には、前記第１導管中に受け入れられている前記流体の少なくとも幾分かを前記第２導管へと分配すること、
を備えている、流体を分配する方法。
【請求項２】
前記第３導管を介した流体の流れを制御することは：
前記第２排出要素が前記本体及び前記第１排出要素の前記少なくとも一方に連結された時に前記第３導管を介して流体が通過することを許容するよう弁の弁座が前記第３導管から離される開位置に弁を位置決めすること；そして
前記第２排出要素が前記本体及び前記第１排出要素の前記少なくとも一方との連結を解除された時に前記第３導管を介した流体の通過を阻止するよう前記弁座が前記第３導管を取り囲んでいる表面に接触する閉位置に前記弁を位置決めすること、
を備えている請求項１の方法。
【請求項３】
前記開位置に前記弁を位置決めすることは、前記第２排出要素から前記弁へと力を伝達すること、を備えている請求項２の方法。
【請求項４】
前記第２排出要素から前記弁へと前記力を伝達することは、前記第２排出要素が前記本体及び前記第１排出要素の前記少なくとも一方に連結された時に、前記第２排出要素から前記第２排出要素に隣接した前記弁の弁頭部へと前記力を伝達すること、を備えている請求項３の方法。
【請求項５】
前記閉位置に前記弁を位置決めすることは、前記第３導管を取り囲んでいる前記表面に対し前記弁座を弾性的に付勢すること、を備えている請求項２，３，又は４の方法。
【請求項６】
前記第２排出要素が前記本体及び前記第１排出要素の前記少なくとも一方に連結された時に、前記第２排出要素を前記本体及び前記第１排出要素の前記少なくとも一方に固定すること、をさらに備えている請求項１乃至５のいずれか１項の方法。
【請求項７】
前記本体を流体源に連結し前記開口が前記流体源からの流体を受け入れるようにすること、をさらに備えている請求項１乃至６のいずれか１項の方法。
【請求項８】
前記第２排出要素が前記第２出口を備えている複数の出口を規定している、請求項１乃至７のいずれか１項の方法。
【請求項９】
前記第２出口が前記第２排出要素の唯一の出口である、請求項１乃至７のいずれか１項の方法。
【請求項１０】
前記第２排出要素が、前記第２排出要素と一体に形成されている流体流出端を備えている、請求項１乃至９のいずれか１項の方法。
【請求項１１】
前記第２排出要素が流体流出端に対し取り付け可能であるとともに流体流出端から取り外し可能である、請求項１乃至９のいずれか１項の方法。
【請求項１２】
流体を受け入れる為の開口を有している本体と；
前記本体に連結されていて、第１出口及び前記第１出口と連通している第１導管を有している第１排出要素と；
前記開口中に受け入れられた流体の少なくとも幾分かを、前記第１導管へと分配する為の手段と；
前記本体及び前記第１排出要素の少なくとも一方と連結可能であるとともに連結解除可能であり、第２出口及び前記第２出口と連通している第２導管を有している第２排出要素と；
前記開口中に受け入れられた流体の少なくとも幾分かの前記第２導管への流れを選択的に制御する為の手段であって、前記第２排出要素が前記本体及び前記第１排出要素の前記少なくとも一方に連結された時に前記開口と連通されるとともに前記第２導管と連通される第３導管を備えていて、前記本体及び前記第１排出要素の前記少なくとも一方との前記第２排出要素の連結及び連結解除に応じて前記第３導管を介した流体の前記流れが、前記第２排出要素が前記本体及び前記第１排出要素の前記少なくとも一方と連結された時には流体が前記第３導管を介して連通され、前記第２排出要素が前記本体及び前記第１排出要素の前記少なくとも一方との連結を解除された時には流体が前記第３導管を介して通過することを阻止されるよう、制御される、流れを選択的に制御する為の手段と；そして
前記第２排出要素が前記本体及び前記第１排出要素の前記少なくとも一方に連結された時に、前記第１導管中に受け入れられている流体の少なくとも幾分かを前記第２導管へと分配する為の手段と、
を備えている、流体を分配する為の装置。
【請求項１３】
選択的に制御する為の前記手段が：
開位置と閉位置とに位置決め可能な弁座を有しており、前記開位置においては前記弁座が前記第３導管から離されて前記第３導管を介して流体が流れることを許容し、前記閉位置においては前記弁座が前記第３導管を取り囲んでいる表面に接触して前記第３導管を介した流体の通過を阻止する、弁と；
前記第２排出要素が前記本体及び前記第１排出要素の前記少なくとも一方に連結された時に前記開位置に前記弁を位置決めする為の手段と；そして
前記第２排出要素が前記本体及び前記第１排出要素の前記少なくとも一方との連結を解除された時に前記閉位置に前記弁を位置決めする為の手段と、
をさらに備えている請求項１２の装置。
【請求項１４】
前記開位置に前記弁を位置決めする為の前記手段が、前記第２排出要素から前記弁へと力を伝達する為の手段を備えている請求項１３の装置。
【請求項１５】
前記弁が、前記第２排出要素が前記本体及び前記第１排出要素の前記少なくとも一方に連結された時に、前記第２排出要素に隣接した弁頭部を有しており；そして
前記第２排出要素から前記弁へと前記力を伝達する為の前記手段が、前記第２排出要素から前記弁の前記弁頭部へと前記力を伝達する為の手段を備えている、
請求項１４の装置。
【請求項１６】
前記弁を前記閉位置に位置決めする為の前記手段が、前記第２排出要素が前記本体及び前記第１排出要素の前記少なくとも一方との連結を解除された時に、前記弁座を前記第３導管を取り囲んでいる前記表面に対し弾性的に付勢しているとともに前記弁を前記閉位置に位置決めする為の手段を備えている、請求項１３，１４，又は１５の装置。
【請求項１７】
前記第２排出要素が前記本体及び前記第１排出要素の前記少なくとも一方と連結された時に、前記第２排出要素を前記本体及び前記第１排出要素の前記少なくとも一方と固定する為の手段をさらに備えている、請求項１２乃至１６のいずれか１項の装置。
【請求項１８】
前記本体を流体源に連結して前記開口が前記流体源からの流体を受けいれる手段をさらに備えている、請求項１２乃至１７のいずれか１項の装置。
【請求項１９】
前記第２排出要素が前記第２出口を備えている複数の出口を規定している、請求項１２乃至１８のいずれか１項の装置。
【請求項２０】
前記第２出口が前記第２排出要素の唯一の出口である、請求項１２乃至１８のいずれか１項の装置。
【請求項２１】
前記第２排出要素が、前記第２排出要素と一体的に形成されている流体流出端を備えている、請求項１２乃至２０のいずれか１項の装置。
【請求項２２】
前記第２排出要素が流体流出端に対し取り付け可能であるとともに流体流出端から取り外し可能である、請求項１２乃至２０のいずれか１項の装置。
【請求項２３】
前記装置はシャワーヘッドである、請求項１２乃至２２のいずれか１項の装置。
【請求項２４】
流体を受け入れる為の開口を有している本体と；
前記本体に連結されているとともに、第１出口及び前記第１出口と連通する第１導管とを有している第１排出要素と；
前記開口中に受け入れられた流体の少なくとも幾分かを前記第１導管に分配するよう動作的に構成されている流体分配機と；
前記本体及び前記第１排出要素の少なくとも一方に対し連結可能であるとともに連結解除可能であり、第２出口及び前記第２出口と連通している第２導管を有していて、前記本体及び前記第１排出要素の前記少なくとも一方と連結された時に、前記第１導管中に受け入れられていた流体の少なくとも幾分かを受け入れるよう動作的に構成されている第２排出要素と；そして
前記開口中に受け入れられた流体の少なくとも幾分かの前記第２導管への流れを選択的に制御する流れ制御機であって、前記第２排出要素が前記本体及び前記第１排出要素の前記少なくとも一方に連結された時に前記開口と連通されるとともに前記第２排出要素と連通される第３導管を規定していて、前記第３導管と協働する弁を備えており、前記弁は、前記本体及び前記第１排出要素の前記少なくとも一方との前記第２排出要素の連結及び連結解除に応じて制御されて、前記第２排出要素が前記本体及び前記第１排出要素の前記少なくとも一方と連結された時には流体が前記第３導管を介して連通され、前記第２排出要素が前記本体及び前記第１排出要素の前記少なくとも一方との連結を解除された時には流体が前記第３導管を介して通過することを阻止される、流れ制御機と、
を備えている、流体を分配する為の装置。
【請求項２５】
前記弁は弁座を有していて；そして
前記弁は、前記弁座が前記第３導管から離れて流体が前記第３導管を介して通過することを許容する開位置と前記弁座が前記第３導管を取り囲んでいる前記流れ制御機の表面に接触して流体が前記第３導管を介し通過することを阻止する閉位置とに位置付け可能である、
請求項２４の装置。
【請求項２６】
前記第２排出要素は、前記第２排出要素が前記本体及び前記第１排出要素の前記少なくとも一方に連結された時に、力を前記弁に伝達し前記弁を前記開位置に位置決めさせるよう動作的に構成されている、請求項２５の装置。
【請求項２７】
前記弁は、前記第２排出要素が前記本体及び前記第１排出要素の前記少なくとも一方に連結された時に、前記第２排出要素に隣接した弁頭部を有していて、そして、前記第２排出要素は前記力を前記弁の前記弁頭部に伝達するよう動作的に構成されている、請求項２６の装置。
【請求項２８】
前記弁を前記閉位置に弾性的に付勢するとともに、前記第２排出要素が前記本体及び前記第１排出要素の前記少なくとも一方との連結を解除した時に前記弁を前記閉位置に位置付けるよう動作的に構成されている弾性装置をさらに備えている、請求項２５，２６，又は２７の装置。
【請求項２９】
前記弾性装置は、前記弁の前記弁座に接触して前記弁を前記閉位置に弾性的に付勢するよう動作的に構成されている、請求項２８の装置。
【請求項３０】
前記弾性装置はばねを備えている、請求項２８又は２９の装置。
【請求項３１】
前記ばねが円錐形状−円板ばねである、請求項３０の装置。
【請求項３２】
前記第２排出要素が前記本体及び前記第１排出要素の前記少なくとも一方と連結した時に、前記第２排出要素を前記本体及び前記第１排出要素の前記少なくとも一方と固定させるよう動作的に構成されている固定機をさらに備えている、請求項２４乃至３１のいずれか１項の装置。
【請求項３３】
前記本体を流体源に連結し前記開口が前記流体源から流体を受け取るよう動作的に構成されている連結機をさらに備えている、請求項２４乃至３２のいずれか１項の装置。
【請求項３４】
前記第２排出要素が前記第２出口を備えている複数の出口を規定している、請求項２４乃至３３のいずれか１項の装置。
【請求項３５】
前記第２出口が前記第２排出要素の唯一の出口である、請求項２４乃至３３のいずれか１項の装置。
【請求項３６】
前記第２排出要素が、前記第２排出要素と一体に形成されている流体流出端を備えている、請求項２４乃至３５のいずれか１項の装置。
【請求項３７】
前記第２排出要素が流体流出端に対し取り付け可能であるとともに流体流出端から取り外し可能である、請求項２４乃至３５のいずれか１項の装置。
【請求項３８】
前記装置はシャワーヘッドである、請求項２４乃至３７のいずれか１項の装置。